(57)【要約】【課題】  搬送工程中に媒体に蓄積した電荷を除去し、媒体同士の吸着等を防止することが可能な画像形成装置、及び画像処理装置の提供。【解決手段】  媒体を搬送する搬送部と、搬送部による媒体の搬送中に媒体が帯電することで生じた電圧とは逆極性の電圧を媒体に印加する逆電圧印加部とを備えることを特徴とする画像形成装置、及び画像処理装置。【選択図】図１
2009058615.tif 000002
【特許請求の範囲】
【請求項１】
媒体の搬送中に画像を形成する画像形成装置であって、
前記媒体を搬送する搬送部と、
前記搬送部による前記媒体の搬送中に媒体が帯電した電圧とは逆極性の電圧を前記媒体に印加する逆電圧印加部とを備えることを特徴とする画像形成装置。
【請求項２】
前記逆電圧印加部は、前記媒体の種類又は温湿度によって印加する電圧を変えることを特徴とする請求項１記載の画像形成装置。
【請求項３】
前記逆電圧印加部の前記媒体搬送方向上流に媒体の電圧を検知する電圧検知部を備え、
前記逆電圧印加部は前記電圧検出部の検出結果に基づいて印加電圧を調整することを特徴とする請求項１記載の画像形成装置。
【請求項４】
原稿を搬送する搬送部と、
前記原稿の搬送中に原稿画像を読取る読取部と、
前記搬送部による原稿の搬送中に原稿が帯電した電圧とは逆極性の電圧を前記原稿に印加する逆電圧印加部とを備えたことを特徴とする画像処理装置。
【請求項５】
前記逆電圧印加部の前記原稿搬送方向上流に原稿の電圧を検出する電圧検出部を備え、
前記逆電圧印加部は前記電圧検出部の検出結果に基づいて印加電圧を調整することを特徴とする請求項４記載の画像処理装置。
【発明の詳細な説明】
【技術分野】
【０００１】
本発明は、画像形成装置において、特に画像形成後の媒体あるいは読取り用原稿を搬送する技術に関するものである。
【背景技術】
【０００２】
一般に、媒体を搬送して媒体上に画像形成するものや、原稿を搬送して原稿上の画像を読取る画像形成装置においては、媒体あるいは原稿に蓄積した電荷を取り除くため、媒体あるいは原稿の排出口に接地された除電ブラシで除電を行っていた（例えば特許文献１）。
【特許文献１】特開平１０−３０２９９３号公報
【発明の開示】
【発明が解決しようとする課題】
【０００３】
しかしながら、特許文献１記載の画像形成装置の構成では、媒体の種類や媒体の搬送時の温湿度の環境によって媒体における帯電の度合いが異なった場合、媒体に蓄積した電荷を完全に除去することができない。したがって、媒体の搬送後に媒体同士が吸着する、あるいは排出される媒体が既に搬出された媒体と反発してしまい、媒体がスタッカ上で散乱してしまうなどの問題が生じていた。特に、ＯＨＰ（Ｏｖｅｒｈｅａｄ  Ｐｒｏｊｅｃｔｏｒ）シートなどのフィルム媒体、表面コーティングされた媒体といったインピーダンスの高い媒体においてこの傾向は強く見られていた。
【０００４】
本発明は、このような実情に鑑みてなされたものであり、本発明の課題は、搬送工程中に媒体に蓄積された電荷を除去し、媒体同士の吸着等を防止することが可能な画像形成装置、及び画像処理装置を提供することである。
【課題を解決するための手段】
【０００５】
上記課題を解決するために本発明にかかる画像形成装置は、媒体の搬送中に画像を形成する画像形成装置であって、媒体を搬送する搬送部と、搬送部による媒体の搬送中に媒体が帯電した電圧とは逆極性の電圧を媒体に印加する逆電圧印加部とを備えることを特徴とする。
【０００６】
また、上記課題を解決するために本発明にかかる画像処理装置は、原稿を搬送する搬送部と、原稿の搬送中に原稿画像を読取る読取部と、搬送部による原稿の搬送中に原稿が帯電した電圧とは逆極性の電圧を原稿に印加する逆電圧印加部とを備えたことを特徴とする。
【発明の効果】
【０００７】
本発明にかかる画像形成装置、及び画像処理が備える逆電圧印加部は、媒体上に蓄積された電荷とは逆の極性の電圧を媒体に印加することで電荷を中和する。したがって、媒体から電荷を除去することが可能となり、媒体同士の吸着等を防止することが可能となる。
【発明を実施するための最良の形態】
【０００８】
（第１の実施例）
図１は、第１の実施例にかかる画像形成装置の一例であるプリンタ１の要部構成を説明する断面図である。プリンタ１は、画像形成を行う画像形成部２Ｋ，２Ｙ，２Ｍ，２Ｃと、画像形成部で形成された現像画像を媒体としての記録紙に電位差をもって転写する転写ローラ１０Ｋ，１０Ｙ，１０Ｍ，１０Ｃと、記録紙を複数枚格納し順次記録紙を取り出すためのシートレシーブ部１１と、シートレシーブ部１１から分離用舌辺等を併用して一枚ずつ記録紙を分離し取り出すための給紙ローラ１２と、記録紙が給紙されてきたことを感知する入口センサ１３と、記録紙の光の反射率を測定して転写ローラへの印加電圧や後述する除電電圧を決定するための紙質センサ１４と、記録紙を印刷方向に搬送する搬送ローラ１５，１６と、記録紙の先頭部を検出して画像形成部における画像形成の開始のタイミングを決定するための書き込みセンサ１７と、無端状で記録紙の搬送を行う搬送ベルト１８と、図示しないモータとギアで接続され搬送ベルト１８を動かすためのベルト駆動ローラ１９と、スプリングで支持され搬送ベルト１８の張りを一定に保つための従動ローラ２０と、内部にハロゲンランプ等の発熱体を備え記録紙を加熱及び加圧することで記録紙にトナーの定着を行う定着ローラ２１と、定着ローラ２１に記録紙を押し付けるための定着バックアップローラ２２と、定着ローラ２１及び定着バックアップローラ２２からなる定着器に記録紙が巻きついたことを監視するための排出センサ２３と、定着器から排出された記録紙を受けるためのフェイスアップスタッカ２４，フェイスダウンスタッカ２５と、記録紙の排出先をフェイスアップスタッカ２４あるいはフェイスダウンスタッカ２５のいずれかに切り替えるアップダウンセパレータ２６と、フェイスアップスタッカ２４への排紙のための排出ローラ２７，２８と、フェイスダウンスタッカ２５への排紙のための排出ローラ２９，３０と、フェイスアップスタッカ２４及びフェイスダウンスタッカ２５のそれぞれの排出口近傍に設けられた記録紙に電荷を供給する除電ブラシ３１，３２とを備える。
【０００９】
また、図示しないが、プリンタ１は、上述した各ローラを回転するためのモータ、最小記録紙間隔以下の距離に敷設された搬送路上のローラ、及び搬送路切り替え用のソレノイドも構成要素として備える。各モータは、主に給紙ローラ１２を回転するための給紙モータ、搬送ローラ１５，１６を回転するための搬送モータ、ベルト駆動ローラ１９を回転するためのベルトモータとして動作している。また、定着モータは定着ローラ２１及び定着バックアップローラを回転し、４個のＩＤモータはそれぞれ画像形成部２Ｋ，２Ｙ，２Ｍ，２Ｃ内部に形成されているローラを回転する。
【００１０】
画像形成部２Ｋ，２Ｙ，２Ｍ，２Ｃは、使用される現像剤が異なるのみで他の構成は全て同一である。したがって、画像形成部の構成の説明は、画像形成部２Ｋを用いて説明する。図２は、画像形成部２Ｋの構成を説明するための断面図である。画像形成部２Ｋは、静電潜像が形成される感光体ドラム３Ｋと、感光体ドラム３Ｋの表面を帯電させるチャージローラ４Ｋと、チャージローラ４Ｋによって帯電された感光体ドラム３Ｋの表面に静電潜像を形成するＬＥＤ（Ｌｉｇｈｔ−Ｅｍｉｔｔｉｎｇ−Ｄｉｏｄｅ）ヘッド５Ｋと、感光体ドラム３Ｋの表面に形成された静電潜像にトナーを付着させて静電潜像を現像する現像ローラ６Ｋと、現像ローラ６Ｋ上のトナー層の厚さを規制する現像ブレード７Ｋと、現像ローラ６Ｋにトナーを供給するスポンジローラ８Ｋと、スポンジローラ８Ｋにトナーを供給するトナータンク９Ｋとを備える。
【００１１】
図３は、第１の実施例にかかるプリンタ１の構成をプリンタ制御部１００の回路概要を中心に説明するブロック図である。プリンタ制御部１００は、図示しないＲＯＭ（Ｒｅａｄ  Ｏｎｌｙ  Ｍｅｍｏｒｙ）に書き込まれたプログラムによって動作するＣＰＵ（Ｃｅｎｔｒａｌ  Ｐｒｏｃｅｓｓｉｎｇ  Ｕｎｉｔ）１０１と、ホストコンピュータ等の外部機器との接続を有線又は無線で行うホストＩ／Ｆ部１０２と、ホストコンピュータ等から受信したデータを基にフォントの展開やトーンの形成などを行い、ＬＥＤヘッド５Ｋ，５Ｙ，５Ｍ，５Ｃを制御する画像制御部１０３と、ベルトモータを駆動するための相信号の出力及び電流値リファレンスの生成を行うベルト駆動部１０４と、画像形成部２Ｋ，２Ｙ，２Ｍ，２Ｃのモータの駆動制御を行うＩＤ駆動部１０５と、給紙モータ，搬送モータ，定着モータの駆動制御を行う給紙，搬送，定着駆動部１０６とを備える。また、プリンタ１は、チャージローラや転写ローラ等に高電圧の電力を供給する高圧電源１０７と、回路やモータに５Ｖ及び２４Ｖの電圧を供給する低圧電源１０８と、除電ブラシ３１，３２に電荷除去のための電圧を印加する逆電圧印加部としての除電用電源１０９と、温度及び湿度を監視するためのサーミスタ及び高分子型湿度センサで構成される環境センサ１１０とを備える。
【００１２】
以下に、本実施例にかかるプリンタ１の動作について説明する。図４は、本実施例にかかる処理ルーチンを説明するフローチャートである。プリンタ１は、ケーブル又は無線を通じ、ホストＩ／Ｆ部１０２を介してホストコンピュータ等に接続されている。ステップＳ２０１において、プリンタ１の電源をＯＮとすると、ＣＰＵ１０１は、図示しないＲＯＭに記録されているプログラムを読み込み処理ルーチンが開始される。電源投入時の色ずれ補正や濃度補正等の処理はこの時に行われる。
【００１３】
ステップＳ２０２において、ホストコンピュータ等から印刷データの転送を受け印刷の指令を受けると、ＣＰＵ１０１は、給紙，搬送，定着駆動部１０６に起動の指示を出す。給紙，搬送，定着駆動部１０６は、給紙モータ及び搬送モータを駆動させる。給紙モータの駆動力が伝達された給紙ローラ１２は回転を開始し、用紙カセット内のシートレシーブ部１１から記録紙３５を一枚取り出した後、搬送ローラ１５，１６に記録紙３５を送り出す。また、この時、ＣＰＵ１０１は、ベルト駆動部１０４及びＩＤ駆動部１０５に指示を供給し、ベルト駆動部１０４はベルトモータを駆動させ、ＩＤ駆動部１０５はＩＤモータをそれぞれ駆動させる。さらに、ＣＰＵ１０１は、図示しない定着加熱回路に定着器の温度を一定に保つように加熱する指示を出す。この段階での定着器の温度は、実際の定着工程における定着温度より低く設定されている（ステップＳ２０３）。
【００１４】
搬送ローラ１５，１６の上流に位置する入口センサ１３は、給紙ローラ１２が正常に記録紙３５の給紙を行えたかどうかの検出を行う（ステップＳ２０４）。入口センサ１３が記録紙３５を検出すると（ステップＳ２０４  Ｙｅｓ）、紙質センサ１４は、搬送された記録紙３５がＯＨＰであるか普通紙であるかを判定する（ステップＳ２０５）。紙質センサ１４である反射型フォトインタラプタは、記録紙に対して約３０°斜めの位置に配設されている。したがって、記録紙３５がＯＨＰ及びフィルム媒体等の鏡面反射媒体である場合、鏡面反射媒体に入射した光の反射光は反射型フォトインタラプタに戻らない。一方、普通紙等の拡散反射媒体に入射した光は拡散反射されるため、その反射光は反射型フォトインタラプタに戻ることになる。この媒体の違いに基づく反射率の違いを検出することで、紙質センサ１４は、紙質を判定している（図５）。
【００１５】
また、同じくステップＳ２０５において、環境センサ１１０は、プリンタ１の装置内部の温度及び湿度を測定する。紙質センサ１７で判定した記録紙３５の紙質、環境センサ１１０で測定したプリンタ１の装置内部の温度及び湿度の情報から図６に示す紙質―温度―湿度の３次元テーブルに基づいて、ＣＰＵ１０１は転写電圧及び除電ブラシ３１，３２に印加する電圧を決定する。なお、除電ブラシ３１、３２に到達する前の記録紙３５は、転写部の転写電圧及び搬送路との摩擦によって、プラス電位に帯電する。
【００１６】
ここで、図６内の環境の項目に示されている低温低湿、常温常湿、及び高温高湿は、それぞれ、低温低湿：温度１０℃，湿度２０％、常温常湿：温度２０℃、湿度５０％、及び高温高湿：２８℃，８０％の環境条件を表しており、環境センサ１１０が測定した実測の温度及び湿度に最も近い環境条件が低温低湿、常温常湿、及び高温高湿の環境条件から選択される。
【００１７】
例えば、記録紙３５が普通紙であり、環境センサ１１０が測定した温度及び湿度の測定結果が最も常温常圧の環境条件に近い測定結果であった場合に、転写ローラ１０に印加される転写電圧は、それぞれ３．６６８ｋＶ（Ｋ），３．８５１ｋＶ（Ｙ），４．０３７ｋＶ（Ｍ），４．２２０ｋＶ（Ｃ）である。また、除電ブラシ３１，３２に印加される除電電圧は、−０．１４ｋＶとなる。
【００１８】
記録紙３５は、搬送ローラ１５，１６によってさらに印刷方向に搬送され、書き込みセンサ１７に到達する。書き込みセンサ１７が記録紙３５を検出すると、ＣＰＵ１０１は、画像制御部１０３に対して一定期間後に画像データをＬＥＤヘッド５Ｋに転送するよう指示を供給する。画像データを受信したＬＥＤヘッド５Ｋは、露光を開始して感光体ドラム３Ｋ上に静電潜像を形成する（ステップＳ２０６）。形成された静電潜像には、現像ローラ６Ｋからトナーが供給され静電潜像の現像が行われる。
【００１９】
次に、記録紙３５が感光体ドラム３Ｋと転写ローラ１０Ｋとの間に到達した時点で、転写ローラに対し＋２０００〜５０００Ｖの電圧が高圧電源１０７から印加され、感光体ドラム３Ｋ上のトナーが記録紙に転写される（ステップＳ２０７）。ここで、転写ローラ１０Ｋには、ステップＳ２０５で決定された転写電圧が印加される。
【００２０】
画像形成部２Ｙでの画像形成に続き、画像形成部２Ｙ，２Ｍ，２Ｃにおいて順次画像形成が行われ、ステップＳ２０５で決定された転写電圧が転写ローラ１０Ｙ，１０Ｍ，１０Ｃにそれぞれ印加される（ステップＳ２０８）。
【００２１】
記録紙３５へのトナーの転写が完了すると、記録紙３５は定着器に搬送される。ここで、定着ローラ２１と定着バックアップローラ２２との間で記録紙３５を加熱及び加圧することで、トナーは記録紙３５に定着される。
【００２２】
定着器から排出された記録紙３５は、排出センサ２３によって検出される（ステップＳ２０９）。記録紙３５のプリンタ１外部への排出先は、アップダウンセパレータ２６によってフェイスアップスタッカ２４あるいはフェイスダウンスタッカ２５のいずれかに決定される。記録紙３５が、フェイスアップスタッカ２４に排出される場合、ＣＰＵ１０１は、給紙、搬送、定着駆動部１０６に指示を出し、搬送ローラ２７，２８を回転させる。また、ＣＰＵ１０１は、除電用電源１０９に対しステップ２０５で決定した除電電圧を除電ブラシ３１に印加するよう指示を出す。一方、記録紙３５が、フェイスダウンスタッカ２５に排出される場合、ＣＰＵ１０１は、給紙、搬送、定着駆動部１０６に指示を出し、搬送ローラ２９，３０を回転させる。また、ＣＰＵ１０１は、除電用電源１０９に対しステップ２０５で決定した除電電圧を除電ブラシ３２に印加するよう指示を出す。ＣＰＵ１０１からの指示を受けた除電電源１０９は除電ブラシ３２に除電電圧を印加する（ステップＳ２１０）。
【００２３】
書き込みセンサ１７は、記録紙３５の終端を監視しており、記録紙３５が書き込みセンサ１７を通過してしまうと、書き込みセンサ１７の出力はＯＦＦとなる（ステップＳ２１１）。
【００２４】
ステップＳ２１１において、書き込みセンサ１７がＯＦＦとなった場合（ステップＳ２１１  Ｙｅｓ）、一定時間経過後、ＣＰＵ１０１は高圧電源１１０及び除電用電源をＯＦＦにし、処理ルーチンはステップＳ２０２の印刷要求待ちの状態に戻る（ステップＳ２１２）。
【００２５】
第１の実施例にかかるプリンタによれば、記録紙の排出口に除電のための除電ブラシを設け、更にこの除電ブラシに対して記録紙の種類、温度、及び湿度のパラメータに基づいて決定した電圧を印加することで記録紙上の電荷を除去することが可能となる。したがって、記録紙の搬送後に記録紙同士が吸着する、あるいは記録紙が既に搬出されている記録紙と反発してしまい、記録紙がスタッカ上で散乱してしまうなどの問題を解決することが可能となる。
また、記録紙上に残留した電荷により、先に搬送された記録紙に後から搬送された記憶紙が吸着することで、後から搬送された記録紙がトナーにより汚れるという問題も第１の実施例によれば低減することが可能となる。
【００２６】
なお、図６の紙質―温度―湿度の３次元テーブルに記載の各電圧設定値は、適宜変更可能である。本実施例においては、ＯＨＰ及びフィルム媒体等はインピーダンスが高く帯電しやすいため、ＯＨＰ及びフィルム媒体等に除電ブラシを介して印加される除電電圧は普通紙よりも高く設定されている。また、高温高湿の場合は、湿気により媒体が帯電しにくいために、普通紙には除電電圧は印加されず、ＯＨＰ及びフィルム媒体には、他の低温低湿、常温常湿の条件と比較してやや低めの除電電圧が印加される。
【００２７】
（第２の実施例）
図７は、第２の実施例にかかる画像処理装置の一例であるスキャナの要部構成を説明する断面図である。スキャナ３００は、読取り原稿をセットする原稿台３０１と、原稿を吸引するための給紙ローラ３０２と、原稿の先端を検出する入口センサ３０３と、原稿搬送のための搬送ローラ３０４，３０５と、原稿が所定の位置に到達した際に原稿の読取りを行うＣＣＤ（Ｃｈａｒｇｅ  Ｃｏｕｐｌｅｄ  Ｄｅｖｉｃｅ）ラインセンサ３０６と、原稿の帯電量を測定する帯電センサ３０７と、原稿の排出のための排出ローラ３０８，３０９と、帯電センサ３０７が測定した原稿の帯電状態に基づいて電圧を切り替えて原稿に印加するための除電ブラシ３１０と、読取った原稿を一時的に保持するスタッカ３１１とを備える。
【００２８】
帯電センサ３０７は、電極４０と、アンプ４１と、抵抗４２と、検波回路４３と、脈流電源４４とを備える。図８に示すように、帯電センサ３０７は、帯電した原稿が電極の部分に到達した際、原稿の帯電の電位に応じて電極４０に集まった電荷を検出することを基本原理としている。ここで、脈流電源４４から脈流電圧を印加するのは、検出した電圧を底上げすることで、電極がプラスあるいはマイナスの何れかに帯電しているのかを判別するためとノイズを除去するためである。
検波回路４３は、電極からの交流成分を除去し、直流成分を取り出してＣＰＵ１０１にその値を引き渡している。ＣＰＵ１０１における電極電圧の検出には、図示しない内蔵Ａ／Ｄコンバータが用いられており、ＣＰＵ１０１は、０〜５Ｖまでのアナログ値を読取ることができる。そのため、検波回路４３からの出力は原稿の帯電電圧が０Ｖで２．５Ｖとなるように構成されている。抵抗４２は原稿の帯電電位の１／１０００を加算するように調節している。
【００２９】
また、図示しないが、スキャナ３００は、上述した各ローラを回転するためのモータ及びモータのコントロール回路も構成要素として備える。
【００３０】
図９は、第２の実施例にかかるスキャナ３００の構成をスキャナ制御部４００の回路概要を中心に説明するブロック図である。スキャナ制御部４００は、図示しないＲＯＭに書き込まれたプログラムによって動作するＣＰＵ４０１と、ホストコンピュータ等の外部機器との接続を有線又は無線で行うホストＩ／Ｆ部４０２と、ＣＣＤラインセンサ３０６から１ライン単位で原稿上の画像を読み出す画像読取部４０３と、給紙モータ及び搬送モータの回転制御を行う原稿搬送部４０４とを備える。また、スキャナ３００は、除電ブラシ３１０に電荷除去のための電圧を印加する除電用電源４０５と、スキャナ制御部４００全体に３．３Ｖ，５Ｖ，２４Ｖの電圧を印加する電源４０６とを備える。
【００３１】
以下に。本実施例にかかるスキャナ３００の動作について説明する。図１０は、本実施例にかかる処理ルーチンを説明するフローチャートである。スキャナ３００は、ホストＩ／Ｆ部４０２を介してホストコンピュータ等と接続されている。ステップＳ５０１において、スキャナ３００の電源をＯＮとすると、ＣＰＵ４０１は、図示しないＲＯＭに記録されているプログラムを読み込み処理ルーチンが開始される。
【００３２】
ステップ５０２において、ホストコンピュータ等から原稿読取りの指令を受けると、ＣＰＵ４０１は、原稿搬送部４０４に指示を供給する。原稿搬送部４０４は、給紙モータ及び搬送モータを駆動させる。給紙モータからの駆動力が伝達された給紙ローラ３０２は回転を開始し、原稿台３０１にセットされている原稿をスキャナ３００内に吸引した後、搬送ローラ３０４，３０５に原稿を送り出す（ステップＳ５０３）。
【００３３】
搬送ローラ３０４，３０５の上流に位置する入口センサ３０３は、給紙ローラ３０２が正常に原稿の吸引を行えたかどうかの検出を行う（ステップＳ５０４）。入口センサ３０３が原稿を検出すると（ステップ５０４  Ｙｅｓ）、搬送ローラ３０４，３０５が回転を開始し、原稿はＣＣＤラインセンサ３０６まで搬送される。
【００３４】
ステップＳ５０５においては、原稿読取り開始のカウンタのセットが行われる。このカウンタはタイマー割り込みで減算され、カウンタが０になった時点で原稿の読取りを開始するためのものである。ステップＳ５０６においては、読取りカウンタが０となるのを待っており、カウンタが０になった時点で原稿の読取りが開始される。
【００３５】
読取りカウンタが０になった場合、ＣＰＵ１０１は画像読取部に指示を供給し、ＣＣＤラインセンサ３０６は原稿の読取りを開始する。ＣＣＤラインセンサ３０６は、原稿の移動速度及び解像度に適合させた周期に基づいて原稿を読取る。本実施例においては、ＣＣＤラインセンサ３０６は、原稿の移動速度１４０ｍｍ／ｓ、解像度６００ｄｐｉ、約０．３ｍｓの周期で原稿を読取っている。ＣＣＤラインセンサ３０６で読取られた画像データは、ホストＩ／Ｆ部４０２を介してホストコンピュータ等に転送される（ステップＳ５０７）。
【００３６】
ＣＣＤラインセンサ３０６での原稿の読取りが完了し、帯電センサ３０７まで原稿が到達すると（ステップＳ５０８）、帯電センサ３０７は原稿の帯電量を測定する。帯電センサ３０７で測定した測定結果に基づき、ＣＰＵ４０１は、除電用電源４０５に対し原稿に帯電した電圧とは逆極性で、かつ１０分の１の電圧を除電ブラシ３１０に印加するよう指示を出す。ＣＰＵ４０１からの指示を受けた除電用電源４０５は除電ブラシ３１０に除電電圧を印加する（Ｓ５０９）。
【００３７】
入口センサ３０３は、原稿の終端を監視しており、原稿が入口センサ３０３を通過してしまうと、ＣＰＵ４０１は入口センサ３０３をＯＦＦにし（ステップＳ５１０）、処理ルーチンはステップＳ５１１に移行する。
【００３８】
ステップＳ５１１では、読取終了カウンタのセットを行う。読取終了カウンタもタイマー処理で行う。ステップＳ５１２は、ステップＳ５１１の読取終了カウンタの終了待ちであり、読取終了カウンタが０となると、処理ルーチンはステップＳ５１３に移行する（ステップＳ５１２  Ｙｅｓ）。
【００３９】
読取終了カウンタが０となると、ＣＰＵ４０１は除電用電源をＯＦＦにし、処理ルーチンは、ステップ５０２の原稿読取要求待ちの状態に戻る（ステップＳ５１３）。
【００４０】
第２の実施例にかかるスキャナによれば、原稿の排出口に除電のための除電ブラシを設け、更にこの除電ブラシに対し、帯電センサによる帯電量測定結果に基づき原稿に印加する電圧を制御することで電荷を除去することが可能となる。したがって、原稿の搬送後に原稿同士が吸着する、あるいは排出される原稿が既に搬出された原稿と反発してしまい、原稿がスタッカ上で散乱してしまうなどの問題を解決することが可能となる。
【００４１】
本実施例にかかる帯電センサは、原稿の電圧を読取るための電極と、アンプと、抵抗と、検波回路と、脈流電源から構成されているものとしたが、電極に交流電圧をかけて逆位相の交流電圧を利用しフィルタリングすることで原稿の帯電量を測定しても良い。また、帯電センサをスタッカ上に排出された原稿の帯電量を測定する位置に設けても良い。この場合、搬送中の原稿の帯電量を測定する場合に比べ、安定した測定値を得ることができる。
【００４２】
除電ブラシは、原稿に対して一定の電位差を有することにより放電及びイオンを発生し、原稿上の電荷を除去するため、本実施例においては、除電ブラシは原稿に対して非接触で電荷とは逆極性の１．５ｋＶ以上の電位差を保持するように制御されている。また、除電ブラシは原稿に直接接触させて原稿の電圧を下げることも可能である。
【００４３】
第１の実施例はＬＥＤプリンタに本発明を適用した例を説明したが、転写電圧及び除電電圧を制御することで媒体に帯電した電荷を除去するため、本発明は電子写真を用いるプリンタやコピー機に適用することが可能である。また、第２の実施例においては、帯電センサで媒体の帯電量を測定し媒体の除電を行うので、媒体が搬送経路に接触することで帯電する装置であればスキャナ以外のプリンタや媒体搬送装置であっても、本発明は適用可能である。
【００４４】
第１及び第２の実施例は、本発明の好適な実施形態であるが本発明はこれに限定されるものではなく、本発明の趣旨を逸脱しない範囲において、各構成は、適宜変更可能である。
【図面の簡単な説明】
【００４５】
【図１】第１の実施例にかかるプリンタの要部構成を説明する断面図である。
【図２】第１の実施例にかかる画像形成部の構成を説明するための断面図である。
【図３】第１の実施例にかかるプリンタの構成をプリンタ制御部の回路概要を中心に説明するブロック図である。
【図４】第１の実施例にかかる処理ルーチンを説明するフローチャートである。
【図５】第１の実施例にかかる紙質センサを説明する図である。
【図６】転写電圧及び除電ブラシに印加する電圧を決定するための紙質―温度―湿度の３次元テーブルである。
【図７】第２の実施例にかかるスキャナの要部構成を説明する断面図である。
【図８】第２の実施例にかかる電位センサの要部構成を説明する図である。
【図９】第２の実施例にかかるスキャナの構成をスキャナ制御部の回路概要を中心に説明するブロック図である。
【図１０】第２の実施例にかかる処理ルーチンを説明するフローチャートである。
【符号の説明】
【００４６】
１    プリンタ
１１    シートレシーブ部
１２    給紙ローラ
１３    入口センサ
１４    紙質センサ
１５，１６    搬送ローラ
１７    書き込みセンサ
１８    搬送ベルト
１９    ベルト駆動ローラ
２０    従動ローラ
２１    定着ローラ
２２    定着バックアップローラ
２３    排出センサ
２４    フェイスアップスタッカ
２５    フェイスダウンスタッカ
２６    アップダウンセパレータ
２７，２８，２９，３０    排出ローラ
３１，３２    除電ブラシ
３５    記録紙
４０    電極
４１    アンプ
４２    抵抗
４３    検波回路
４４    脈流電源
１００    プリンタ制御部
１０１    ＣＰＵ
１０２    ホストＩ／Ｆ部
１０３    画像制御部
１０４    ベルト駆動部
１０５    ＩＤ駆動部
１０６    給紙、搬送、定着駆動部
１０７    高圧電源
１０８    低圧電源
１０９    除電用電源
１１０    環境センサ
３００    スキャナ
３０１    原稿台
３０２    給紙ローラ
３０３    入口センサ
３０４，３０５    搬送ローラ
３０６    ＣＣＤラインセンサ
３０７    帯電センサ
３０８，３０９    排出ローラ
３１０    除電ブラシ
３１１    スタッカ
４００    スキャナ制御部
４０１    ＣＰＵ
４０２    ホストＩ／Ｆ部
４０３    画像読取部
４０４    原稿搬送部
４０５    除電用電源
４０６    電源
２Ｋ，２Ｍ，２Ｃ，２Ｙ    画像形成部
３Ｋ    感光体ドラム
４Ｋ    チャージドラム
５Ｋ    ＬＥＤヘッド
６Ｋ    現像ローラ
７Ｋ    現像ブレード
８Ｋ    スポンジローラ
９Ｋ    トナータンク
１０Ｋ，１０Ｍ，１０Ｃ，１０Ｙ    転写ローラ
【図１】
2009058615.tif 000003
【図２】
2009058615.tif 000004
【図３】
2009058615.tif 000005
【図４】
2009058615.tif 000006
【図５】
2009058615.tif 000007
【図６】
2009058615.tif 000008
【図７】
2009058615.tif 000009
【図８】
2009058615.tif 000010
【図９】
2009058615.tif 000011
【図１０】
2009058615.tif 000012